(57)【要約】  【課題】  電気接続箱の内部回路の導電材を覆うカバーに電線を挿通できる収容部を設け、導電材と電線とのショートを防止するだけでなく、電線を電気接続箱に嵌合する後入れ部品と干渉しないようにする。  【解決手段】  導電材を収容しているケースの一側面に後入れ部品嵌合用の開口が切り欠かれ、該開口に後入れ部品が嵌合されて組み立てられる電気接続箱であって、  前記後入れ部品嵌合用の開口に面して、前記ケース内部に予め収容されている導電材が露出されると共に他の導電材に接続される電線が開口を挿通して引き出されており、  前記開口の内部には、前記電線を横方向へ引き出した状態で前記導電材を覆うように折り曲げられるカバーが設けられ、該電線を後入れ部品と干渉させない構成としている。  【選択図】  図１
2006174657.tif 000002
【特許請求の範囲】
【請求項１】
導電材を収容しているケースの一側面に後入れ部品嵌合用の開口が切り欠かれ、該開口に後入れ部品が嵌合されて組み立てられる電気接続箱であって、
前記後入れ部品嵌合用の開口に面して、前記ケース内部に予め収容されている導電材が露出されると共に他の導電材に接続される電線が開口を挿通して引き出されており、
前記開口の内部には、前記電線を横方向へ引き出した状態で前記導電材を覆うように折り曲げられるカバーが設けられ、該電線を前記後入れ部品と干渉させない構成としていることを特徴とする電気接続箱。
【請求項２】
前記カバーは、前記ケースにロック結合される別部品からなると共に、前記導電材を直接覆う基部と、該基部の下端に設けた薄肉ヒンジ部を介して基部側に折り曲げられる蓋部とを備え、前記電線は前記基部と蓋部との間を通して横方向に屈曲されて、基部と蓋部との間の側方空間から引き出される構成としている請求項１に記載の電気接続箱。
【請求項３】
前記開口には、前記カバーを挟んで、前記導電材と反対側に前記後入れ部品が嵌合されている請求項１または請求項２に記載の電気接続箱。
【請求項４】
前記カバーの基部は、前記導電材と電源線端末のボルト締め端子と結合する部位まで延在され、前記ボルト締め端子を前記基部で覆っている請求項２または請求項３に記載の電気接続箱。
【発明の詳細な説明】
【技術分野】
【０００１】
本発明は、電気接続箱に関し、詳しくは、電気接続箱に大きな切り欠を設け、後入れ部品が嵌合されて組み立てられる電気接続箱において、該電気接続箱に予め収容されている内部回路を構成する導電材および電線に後入れ部品が接触させないようにするものである。
【背景技術】
【０００２】
従来、自動車に搭載する電気接続箱において、特開２００４−１２７７０４号（特許文献１）において、図６に示すように、電気接続箱のケース１の外面に露出したバスバー２に電線ｗの端末に接続したボルト締め端子３をボルト締め接続し、このボルト締めした箇所に別体のカバー４を被せて、電気接続箱の近傍に配索されるワイヤハーネス（図示せず）にバスバー２を接触させない構造が開示されている。
【０００３】
前記電気接続箱では、組み立てられた電気接続箱の外面に露出させたバスバーが、電気接続箱の近傍に配索されるワイヤハーネスと干渉させないように、電気接続箱のケース外面にカバーを取り付けているものである。
これに対して、電気接続箱自体に大きな開口を設けておき、該電気接続箱を自動車に装着する自動車組立工程で前記開口に後入れ部品を嵌合して電気接続箱を完全に組み立てる場合には、前記特許文献１に開示されたカバーを用いるだけでは解決できない問題がある。  即ち、電気接続箱の上面側に装着されるヒューズやリレーの端子と直接接続されてケース内部から外部に引き出される電線、および後入れ部品嵌合用の開口に露出するバスバー等の導電材と後入れ部品との接触を防止する必要がある。かつ、ケース内部で接触防止部材のスペースを出来るだけ取らないようにしてケースの大型化を抑制する必要がある。
【特許文献１】特開２００４−１２７７０４号公報
【発明の開示】
【発明が解決しようとする課題】
【０００４】
本発明は前記問題に鑑みてなされたものであり、電気接続箱が後入れ部品を嵌合して組み立てられるものにおいて、予めケース内部に取り付けられている導電材および電線が後入れ部品と干渉しないようにし、かつ、該干渉防止部材がケース内部でスペースを取らないようにすることを課題としている。
【課題を解決するための手段】
【０００５】
前記課題を解決するため、本発明は、導電材を収容しているケースの一側面に後入れ部品嵌合用の開口が切り欠かれ、該開口に後入れ部品が嵌合されて組み立てられる電気接続箱であって、
前記後入れ部品嵌合用の開口に面して、前記ケース内部に予め収容されている導電材が露出されると共に他の導電材に接続される電線が開口を挿通して引き出されており、
前記開口の内部には、前記電線を横方向へ引き出した状態で前記導電材を覆うように折り曲げられるカバーが設けられ、該電線を前記後入れ部品と干渉させない構成としていることを特徴とする電気接続箱を提供している。
【０００６】
即ち、本発明では、後入れ部品嵌合用開口の奥端位置のケース内部に前記カバーを設け、該カバーを挟んで前記開口に後入れ部品を嵌合することにより、電気接続箱が組み立てられるようにしている。前記後入れ部品として、プリント基板の裏面にバスバーを固着すると共に該バスバー取付側に放熱板を一体的に組みつけた配電ユニット、リレーブロック、ヒュージブルリンクブロック等が挙げられる。
【０００７】
前記構成によれば、ケース内部に予め収容され前記開口に面して露出したバスバー等の導電材を前記カバーで覆っているため、該導電材と他の導電材に接続した電線とが直接接触してショートするのを防止することができる。
また、前記電線を前記カバーに遮蔽された状態で外方に引き出しているため、ケースに切り欠いた後入れ部品嵌合用の開口に後入れ部品を嵌合する際に、電線と後入れ部品とが干渉して電線が損傷したり断線するのを防止することができる。
【０００８】
前記カバーはケースと一体成形しておき、薄肉ヒンジ部を介して、電線を通した後に折り曲げて導電材を覆うようにしてもよいし、ケースと別体に設けて、電線を通した後にケースにロック結合してもよい。
【０００９】
別部品からなるカバーとする場合には、前記導電材を直接覆う基部と、該基部の下端に設けた薄肉ヒンジ部を介して基部側に折り曲げられる蓋部とを備え、前記電線は前記基部と蓋部との間を通して横方向に屈曲されて、基部と蓋部との間の側方空間から引き出される構成としている。
前記構成とすると、電線をカバーの基部と蓋部との間に通して、該電線が後入れ部品嵌合用開口内で広がらないようにしているため、電線が後入れ部品の嵌合作業の邪魔にならず、嵌合作業を容易にすることができる。
【００１０】
前記開口には、前記カバーを挟んで、前記導電材と反対側に前記後入れ部品が嵌合される。
即ち、導電材と電線との間にカバーの基部が配置されると共に、電線と後入れ部品との間にカバーの蓋部が配置されている。これにより、導電材と電線と後入れ部品の各部品が前記カバーにより隔離されて互いに干渉しないようにしている。このように、導電材と電線との間に基部を、電線と後入れ部品との間に蓋部を配置しているだけであるため、前記カバーがケース内で大きなスペースを取ることもない。
【００１１】
前記カバーの基部は、前記導電材と電源線端末のボルト締め端子と結合する部位まで延在され、前記ボルト締め端子を前記基部で覆っている。
前記構成によれば、導電材にボルト締め結合したボルト締め端子も前記カバーの基部で覆うことにより、ボルト締め端子と他の導電材に接続した電線も接触しないようにしてショートするのを防止している。
【００１２】
前記ボルト締め端子、別部材のカバー、電線、後入れ部品の組み付け方法は、先ず、電気接続箱のケースの開口に面して露出させた導電材に電源線端末のボルト締め端子をボルト締め結合する。
次いで、ケースにカバーを取り付け、カバーの基部の一面側で前記導電材とボルト締め端子を覆う。
次いで、他の導電材に電線を接続し、該電線をカバーの基部の他面側に沿わせた状態で、カバーの薄肉ヒンジ部を支点として蓋部を基部側に折り曲げる。
最後に、ケースに切り欠いた後入れ部品嵌合用の開口に後入れ部品を嵌合する。
なお、前記電線と接続される他の導電材がヒューズの端子等のようにケースに後から嵌合するものである場合には、電線端末の端子をケースの所要箇所に取り付けておき、前記組み付けを終えてから電線端末の端子にヒューズの端子等を嵌合するようにしてもよい。
【発明の効果】
【００１３】
前述したように、本発明によれば、電気接続箱のケースの開口に面して露出した導電材をカバーで覆っているため、該導電材と他の導電材に接続した電線とが直接接触してショートするのを防止することができる。また、前記電線も前記カバーの内部側を通しているため、ケースに切り欠いた後入れ部品嵌合用の開口に後入れ部品を嵌合する際に、電線と後入れ部品とが干渉して電線が損傷したり断線するのを防止することができる。かつ、電線が後入れ部品嵌合用開口内で広がらないようにしているため、電線が後入れ部品の嵌合作業の邪魔にならず、嵌合作業を容易にすることができる。
【００１４】
また、前記カバーを基部と蓋部とから形成した場合、電線をカバーの基部と蓋部との間に通して引き出すことのより、電線がケース内部の導電材と後入れ部品の両方から保護された状態で引き出すことができ、電線をより確実に保護することができる。
【発明を実施するための最良の形態】
【００１５】
本発明の実施形態を図面を参照して説明する。
図１乃至図４は、本発明の第１実施形態を示し、電気接続箱１０のケース１１には、一側面１１ａに後入れ部品嵌合用の開口１２を切り欠いて設けており、該開口１２に後入れ部品６０を嵌合して電気接続箱１０を完成させる構成としている。
【００１６】
図２に示すように、ケース１１の開口１２に面して導電材からなるバスバー２０、２１、２２（導電材）が露出しており、該バスバー２０、２２にバッテリもしくはオルタネータに接続された電源線ｗ１、ｗ２の端末のボルト締め端子３０、３１をそれぞれボルト締め結合している。バスバー２１と２２の間には上下方向に延在するリブ１４を突設しており、該リブ１４によりバスバー２１と２２を絶縁している。
また、ケース１１の上面には、開口１２に沿って複数のヒューズ収容部１３（本実施形態では４個）を並列させて設けている。該ヒューズ収容部１３の下面側に設けた端子収容室（図示せず）に、図３に示すように、電線ｗ３の一端末の端子３５を収容し、ヒューズ収容部１３に収容したヒューズ３３の端子３４（他の導電材）と接続し、ヒューズ３３を介して電線ｗ３とケース内の内部回路とを接続している。電線ｗ３の他端はそれぞれ電装品に接続されている。
【００１７】
前記開口１２に取り付けてバスバー２０〜２２と電線ｗ３とを絶縁するカバー４０は、バスバー２０〜２２を直接覆う基部４１と、該基部４１の下端に設けた薄肉ヒンジ部４２を介して基部４１側に折り曲げられる蓋部４３とを備えている。
基部４１の一側（図４（Ｂ）中の右側）にＬ形状の係止片４４を突設し、その先端の内面に係止爪４５を設けると共に、基部４１の他側（図４（Ｂ）中の左側）の裏面側に突設したリブ４６の内面に係止爪４７を設けている。これら係止爪４５、４７は上面をテーパ面としている。
基部４１の所要箇所にロック枠４８を設けると共に、蓋部４３に係止爪４９を設けており、蓋部４３を薄肉ヒンジ部４２を支点として基部４１側に折り曲げたときに、蓋部４３の係止爪４９が基部４１のロック枠４８に係止され、蓋部４３が折り曲げ状態で基部４１側に保持される。このとき、基部４１と蓋部４３との間に上面及び側面を開口とした所要の空隙が形成され、該空隙に電線ｗ３を挿通させる構成としている。
また、基部４１の裏面側には、上下方向に延在する２本のガイドリブ５０を突設している。
【００１８】
図３に示すように、前記カバー４０の基部４１でケース１１の開口１２に面して露出したバスバー２０〜２２及び該バスバー２０〜２２にボルト締め結合した電線ｗ１、ｗ２端末のボルト締め端子３０、３１を覆うようにカバー４０をケース１１に下方から差し込むようにして取り付けている。電線ｗ３は、図１（Ｂ）に示すように、カバー４０の基部４１と蓋部４３の間の空隙内に上面開口側から引き込まれ、横方向に屈曲されて、側面開口（側方空間）から引き出されている。
【００１９】
次に、本実施形態の電気接続箱の組み付け方法について説明する。
先ず、図２に示すように、電気接続箱１０のケース１１の開口１２に面して露出させたバスバー２０、２２に電源線ｗ１、ｗ２端末のボルト締め端子３０、３１をボルト締め結合する。
次いで、カバー４０の基部４１をバスバー２０〜２２に沿って下方から上方へ押し上げ、カバー４０の係止爪４５、４７をケース１１の被ロック部（図示せず）に係止して、カバー４０をケース１１にロック結合し、カバー４０の基部４１の裏面側でバスバー２０〜２２とボルト締め端子３０、３１を覆う。このカバー取付作業の際には、バスバー２１と２２間に設けたリブ１４をカバー４０の基部４１の裏面側に設けた２本のガイドリブ５０間に挿入してカバー４０をスライドさせており、カバー４０を位置決めしながら容易に取り付け作業を行っている。
【００２０】
次いで、ケース１１に設けたヒューズ収容部１３の裏面側の端子収容室に電線ｗ３端末の端子３５を収容し、図３に示すように、該電線ｗ３をカバー４０の基部４１の表面側に沿わせた状態で、薄肉ヒンジ部４２を支点として蓋部４３を基部４１側に折り曲げ、基部４１に蓋部４３をロック結合する。
最後に、ケース１１に切り欠いた後入れ部品嵌合用の開口１２に後入れ部品６０を嵌合すると共に、ヒューズ収容部１３にヒューズ３３を収容して、ヒューズの端子３４と電線ｗ３端末の端子３５とを接続し、さらに、ケース１１の上下面にそれぞれアッパーカバーとロアカバー（共に図示せず）を被せて取り付ける。
【００２１】
前記構成によれば、電気接続箱１０のケース１１の開口１２に面して露出したバスバー２０〜２２をケース１１に取り付けたカバー４０の基部４１で覆っているため、バスバー２０〜２２（導電材）とヒューズ３３の端子３４（他の導電材）と接続する電線ｗ３とが直接接触してショートするのを防止することができる。
また、電線ｗ３をカバー４０の基部４１と蓋部４３との間を通しているため、ケース１１に切り欠いた後入れ部品嵌合用の開口１２に後入れ部品６０を嵌合する際に、電線ｗ３と後入れ部品６０とが干渉して電線ｗ３が損傷したり断線するのを防止することができる。
さらに、電線ｗ３をカバー４０の基部４１と蓋部４３との間に通して、該電線ｗ３が開口１２内で広がらないようにしているため、電線ｗ３が後入れ部品６０の嵌合作業の邪魔にならず、嵌合作業を容易にすることができる。
【００２２】
図５は第２実施形態を示し、ケース１１の後入れ部品嵌合用の開口１２に面する部分の下部枠部１１ａから薄肉ヒンジ部５０を介してカバー５１を一体成形で設けている。該カバー５１は電気接続箱に装着するヒューズと接続する電線をケース内部に通した後に、薄肉ヒンジ部５０を下点として上向きに折り曲げて電線およびケース内部に導電材を覆うようにし、該状態でケース１１に設けたロック部１１ｂとカバー５１に設けた被ロック部５１ａとをロック結合している。電線はカバー５１の左右両側方から外方に引き出している。
この状態で、第１実施形態と同様に、開口１２に後入れ部品を嵌合してケースに組みつけている。
【図面の簡単な説明】
【００２３】
【図１】本発明の第１実施形態の電気接続箱（アッパーカバーとロアカバーは図示を省略）を示し、（Ａ）は平面図、（Ｂ）は正面図である。
【図２】バスバーのボルト締め端子をボルト締め結合した状態を示す図面である。
【図３】電気接続箱のケースにカバーを取り付けた状態を示す図面である。
【図４】カバーを示し、（Ａ）は正面図、（Ｂ）は背面図である。
【図５】第２実施形態の概略図である。
【図６】従来例を示す図面である。
【符号の説明】
【００２４】
１０  電気接続箱
１１  ケース
１２  後入れ部品嵌合用の開口
１３  ヒューズ収容部
２０、２１、２２  バスバー（導電材）
３０、３１  ボルト締め端子
３３  ヒューズ
３４  ヒューズの端子（他の導電材）
４０  カバー
４１  基部
４２  薄肉ヒンジ部
４３  蓋部
ｗ１、ｗ２  電源線
ｗ３  電線
【図１】
2006174657.tif 000003
【図２】
2006174657.tif 000004
【図３】
2006174657.tif 000005
【図４】
2006174657.tif 000006
【図５】
2006174657.tif 000007
【図６】
2006174657.tif 000008